(57)【要約】【課題】キャブ本体内でのスイッチ誤操作を確実に回避できる作業機械を提供する。【解決手段】キャブ41は、運転席32の一側部に昇降口43を有するキャブ本体44と、運転席32に対してキャブ本体44の昇降口43とは反対側の側面45であってアームレスト37より低い位置にスイッチ装置46を設置する。このスイッチ装置46は、キャブ本体44の側面45に取付ブラケットによりスイッチパネル48を取付け、このスイッチパネル48に集中的にスイッチ類を設置する。このスイッチ装置46のスイッチパネル48は、コンソール34より高くアームレスト37より低い位置に設置し、スイッチパネル48は、キャブ本体44の側面45に沿って前後方向に一列に配列されたスイッチ装着穴を備えている。【選択図】図１
2009270269.tif 000002
【特許請求の範囲】
【請求項１】
機体と、
機体に搭載された作業装置と、
機体および作業装置を操作するオペレータが着座する運転席と、
運転席の左右側方にそれぞれ配置されたコンソールと、
各コンソールの前部上にそれぞれ設置された操作レバーと、
各操作レバーの後側で運転席の左右側方にそれぞれ配置されたアームレストと、
運転席を中心とする運転室を形成するキャブとを具備し、
キャブは、
運転席の一側部に昇降口を有するキャブ本体と、
運転席に対してキャブ本体の昇降口とは反対側の側面であってアームレストより低い位置に配設されたスイッチパネルに集中的にスイッチ類が設置されたスイッチ装置とを備えた
ことを特徴とする作業機械。
【請求項２】
スイッチ装置のスイッチパネルは、
コンソールより高くアームレストより低い位置に設置され、
キャブ本体の側面に沿って前後方向に一列に配列されたスイッチ装着穴を備えた
ことを特徴とする請求項１記載の作業機械。
【発明の詳細な説明】
【技術分野】
【０００１】
本発明は、キャブ本体の側面にスイッチ装置を備えた作業機械に関する。
【背景技術】
【０００２】
作業機械のキャブ内にスイッチ装置を設置する場合、運転席に沿って設けられたコンソール上に、操作レバーとともにスイッチパネルを設置することが一般的である（例えば、特許文献１−４参照）。
【特許文献１】特開２０００−３０３４９９号公報（第４頁、図２）
【特許文献２】特開２００５−０８８７８０号公報（第４頁、図１）
【特許文献３】特開２００６−１６９８８６号公報（第６頁、図５）
【特許文献４】実開平３−０９６２８３号公報（第１頁、図２）
【発明の開示】
【発明が解決しようとする課題】
【０００３】
コンソール上に、操作レバーとともにスイッチパネルを設置するので、操作レバーを操作する腕がスイッチパネルに接触して、スイッチを誤操作するおそれがある。
【０００４】
本発明は、このような点に鑑みなされたもので、キャブ本体内でのスイッチ誤操作を確実に回避できる作業機械を提供することを目的とする。
【課題を解決するための手段】
【０００５】
請求項１に記載された発明は、機体と、機体に搭載された作業装置と、機体および作業装置を操作するオペレータが着座する運転席と、運転席の左右側方にそれぞれ配置されたコンソールと、各コンソールの前部上にそれぞれ設置された操作レバーと、各操作レバーの後側で運転席の左右側方にそれぞれ配置されたアームレストと、運転席を中心とする運転室を形成するキャブとを具備し、キャブは、運転席の一側部に昇降口を有するキャブ本体と、運転席に対してキャブ本体の昇降口とは反対側の側面であってアームレストより低い位置に配設されたスイッチパネルに集中的にスイッチ類が設置されたスイッチ装置とを備えたことを特徴とする作業機械。
【０００６】
請求項２に記載された発明は、請求項１記載の作業機械におけるスイッチ装置のスイッチパネルが、コンソールより高くアームレストより低い位置に設置され、キャブ本体の側面に沿って前後方向に一列に配列されたスイッチ装着穴を備えたものである。
【発明の効果】
【０００７】
請求項１に記載された発明によれば、スイッチ装置のスイッチパネルは、コンソールから切離されて、運転席に対してキャブ本体の昇降口とは反対側の側面に集中的に設置されたので、スイッチ操作性を向上できるとともに、キャブ組立ライン上でスイッチ類を集中的に組付けることができ、また、アームレストより低い位置にスイッチパネルを配設したので、操作レバーを操作するオペレータの腕がスイッチパネルと接触するおそれをアームレストにより防止でき、スイッチ誤操作を確実に回避できる。
【０００８】
請求項２に記載された発明によれば、コンソールより高くアームレストより低い位置に設置されたスイッチ装置のスイッチパネルは、コンソールおよびアームレストのいずれとも干渉しない狭小スペースに設置でき、特に、キャブ本体の側面に沿って前後方向に一列に配列されたスイッチ装着穴を備えたスイッチパネルは、狭小スペースに設置するのに適しており、キャブ本体とコンソールおよびアームレストとの間に十分なスペースがなくても、スイッチ装置を設置できる。
【発明を実施するための最良の形態】
【０００９】
以下、本発明を、図１乃至図１３に示された一実施の形態を参照しながら詳細に説明する。
【００１０】
図１２および図１３に示されるように、作業機械11は、機体12は、履帯により走行可能な下部走行体13と、この下部走行体13に対し旋回可能に設けられた小旋回型の上部旋回体14とを備え、この上部旋回体14には、エンジンやこのエンジンにより駆動される油圧ポンプなどの動力装置15と、オペレータの運転室であるキャブ16と、主として掘削作業用の小旋回型の作業装置17とが搭載された油圧ショベルである。下部走行体13の履帯は、流体圧アクチュエータとしての走行用油圧モータにより作動され、上部旋回体14は、流体圧アクチュエータとしての旋回用油圧モータにより旋回作動される。
【００１１】
作業装置17は、上部旋回体14にブーム21が上下方向回動自在に軸支され、このブーム21の上部にはオフセット機構22が設けられ、このオフセット機構22により左右方向へ平行移動可能なアーム23が前後方向回動自在に軸支され、このアーム23の先端にバケット24が回動自在に軸支され、そして、ブーム21は、流体圧アクチュエータとしてのブームシリンダ25により上下方向に回動され、アーム23は、ブーム21のオフセット機構22に設けられた流体圧アクチュエータとしてのオフセットシリンダ26により左右方向に平行移動されるとともに、流体圧アクチュエータとしてのアームシリンダ27により前後方向に回動され、バケット24は、リンク機構28を介して流体圧アクチュエータとしてのバケットシリンダ29により回動される。
【００１２】
図１に示されるように、上部旋回体14上のフロアプレート31には、機体12および作業装置17を操作するオペレータが着座する運転席32が、サスペンション33などを介して設置され、この運転席32の左右側方にそれぞれコンソール34，35が配置されている。
【００１３】
これらの各コンソール34，35の前部上には、操作レバー36がそれぞれ設置され、各操作レバー36の後側で運転席32の左右側方には、アームレスト37がそれぞれ配置されている。これらのアームレスト37の支柱部38は、各コンソール34，35の後端部から、運転席32の背もたれ部39に沿って上方へ突出されている。
【００１４】
これらの運転席32などを囲むように上部旋回体14上にキャブ41が搭載され、このキャブ41の内部に、運転席32を中心とする運転室42を形成している。
【００１５】
キャブ41は、運転席32の一側部に昇降口43を有するキャブ本体44と、運転席32に対してキャブ本体44の昇降口43とは反対側の側面45であってアームレスト37より低い位置にスイッチ装置46が設置されている。
【００１６】
図２に示されるように、このスイッチ装置46は、キャブ本体44の側面45に取付ブラケット47によりスイッチパネル48が取付けられ、このスイッチパネル48に集中的にスイッチ類49が設置されたものである。このスイッチ類49としては、シーソー型スイッチ、トグルスイッチなどとともに、付随する発光ダイオード（ＬＥＤ）も含まれる。
【００１７】
図３に示されるように、このスイッチ装置46のスイッチパネル48は、コンソール34より高くアームレスト37より低い位置に設置され、図４に示されるように、スイッチパネル48は、キャブ本体44の側面45に沿って前後方向に一列に配列されたスイッチ装着穴51を備えている。
【００１８】
図４および図５に示されるように、キャブ本体44の側面45には凹部52が設けられ、この凹部52内にスイッチ装置46を嵌着することで、その分、キャブ内スペースを有効利用する。すなわち、スイッチ装着穴51が設けられたスイッチパネル48と、このスイッチパネル48をキャブ本体44の側面45に取付ける取付ブラケット47は、凹部52内に嵌着されている。
【００１９】
図６乃至図８に示されるように、取付ブラケット47は、キャブ本体44と平行に、スイッチパネル48を支持する縦板状のブラケット本体55が設けられ、このブラケット本体55の後端部をキャブ本体44側へ折返してキャブ本体44に固定される被固定部56が形成されている。
【００２０】
被固定部56には、固定ねじ挿入穴57が設けられ、この固定ねじ挿入穴57と対向するブラケット本体55の一部を切欠いて固定ねじ挿入溝58が形成されている。
【００２１】
ブラケット本体55の上部前端および後端には、スイッチパネル受け部61，62が一体に折曲形成され、そのねじ挿入孔にナット63，64が一体に設けられ、固定ねじ65，66により、スイッチパネル受け部61，62にスイッチパネル48が取付けられている。
【００２２】
ブラケット本体55の前端部を外側へ水平に折返して取付部67が折曲形成され、この取付部67の孔68に取付ねじ69により支持部材71が取付けられている。
【００２３】
図９乃至図１１に示されるように、この支持部材71は、直角に折曲された板部72，73に、相互に角度をなす方向に穿設された複数の取付穴74，75を有しており、取付部67の孔68を通して、取付穴74に設けられたナット76に取付ねじ69を螺入して、取付ブラケット47の前端部に支持部材71を取付け、この支持部材71を介して、取付ブラケット47の前端部をキャブ本体44に固定する。
【００２４】
取付ブラケット47のキャブ本体44に対する固定は、ブラケット本体55の固定ねじ挿入溝58から被固定部56の固定ねじ挿入穴57に挿入した固定ねじと、支持部材71の取付穴75に挿入した固定ねじとにより、取付ブラケット47をキャブ本体44に固定し、この取付ブラケット47を介して、固定ねじ65，66によりスイッチパネル48を固定する。
【００２５】
次に、図示された実施の形態の効果を説明する。
【００２６】
スイッチ装置46のスイッチパネル48は、コンソール34から切離されて、キャブ本体44の昇降口43とは反対側の側面45に集中的に設置されたので、スイッチ操作性を向上できるとともに、アームレスト37より低い位置にスイッチパネル48を設けたので、操作レバー36を操作するオペレータの腕がスイッチパネル48と接触するおそれをアームレスト37により防止でき、スイッチ誤操作を確実に回避できる。
【００２７】
コンソール34より高くアームレスト37より低い位置に設置されたスイッチ装置46のスイッチパネル48は、コンソール34およびアームレスト37のいずれとも干渉しない狭小スペースに設置でき、特に、キャブ本体44の側面45に沿って前後方向に一列に配列されたスイッチ装着穴51を備えたスイッチパネル48は、狭小スペースに設置するのに適しており、キャブ本体44とコンソール34およびアームレスト37との間に十分なスペースがなくても、スイッチ装置46を設置できる。
【００２８】
キャブ本体44内に形成された凹部52などの形状により十分なスイッチパネル取付スペースを確保できない場合でも、キャブ本体44側へ折返して前側の支持部材71に接近するように前後方向取付スペースをコンパクトに形成された取付ブラケット47の被固定部56をキャブ本体44に固定することにより、この取付ブラケット47を介してスイッチパネル48を容易に取付けることができる。
【００２９】
ブラケット本体55の固定ねじ挿入溝58より挿入された固定ねじにより、被固定部56をキャブ本体44に容易に固定できる。
【００３０】
相互に角度をなす方向に穿設された複数の取付穴74，75を有する支持部材71を用いることによって、取付ブラケット47の前端部をキャブ本体44に容易に固定できる。
【００３１】
本発明は、油圧ショベルなどの作業機械に利用可能である。
【図面の簡単な説明】
【００３２】
【図１】本発明に係る作業機械に搭載されたキャブ内の一実施の形態を示す斜視図である。
【図２】同上キャブ内に取付けられたスイッチ装置の正面図である。
【図３】同上スイッチ装置が取付けられたキャブ内の拡大斜視図である。
【図４】同上スイッチ装置の取付状態を示す平面図である。
【図５】同上スイッチ装置の取付状態を示す正面図である。
【図６】同上スイッチ装置の分解背面図である。
【図７】同上スイッチ装置の取付ブラケットの底面図である。
【図８】同上スイッチ装置の取付ブラケットの斜視図である。
【図９】同上スイッチ装置の支持部材の正面図である。
【図１０】同上スイッチ装置の支持部材の底面図である。
【図１１】同上スイッチ装置の支持部材の側面図である。
【図１２】本発明に係る作業機械の側面図である。
【図１３】本発明に係る作業機械の平面図である。
【符号の説明】
【００３３】
11    作業機械
12    機体
17    作業装置
32    運転席
34    コンソール
36    操作レバー
37    アームレスト
41    キャブ
42    運転室
43    昇降口
44    キャブ本体
45    側面
46    スイッチ装置
48    スイッチパネル
49    スイッチ類
51    スイッチ装着穴
【図１】
2009270269.tif 000003
【図２】
2009270269.tif 000004
【図３】
2009270269.tif 000005
【図４】
2009270269.tif 000006
【図５】
2009270269.tif 000007
【図６】
2009270269.tif 000008
【図７】
2009270269.tif 000009
【図８】
2009270269.tif 000010
【図９】
2009270269.tif 000011
【図１０】
2009270269.tif 000012
【図１１】
2009270269.tif 000013
【図１２】
2009270269.tif 000014
【図１３】
2009270269.tif 000015